(57)【要約】【課題】  連続版として架設するものであっても、開口部へモルタル打設の必要がなく、施工が容易で、工事費の低減も図れるハーフプレキャスト床版を提供する。【解決手段】  ハーフプレキャスト床版１は、上面に複数の突条部２を形成する板体であって、スタッドジベル３を突設する鋼桁４上に架設する。鋼桁４との交差部には開口５を開設しスタッドジベル３を収容する。隣接する開口５，５同士は床版下面に形成する孔部６を介して連通する。鋼桁４の上部フランジ４ａに開口５及び孔部６に沿って止水材８を取り付け開口５及び床版上面にコンクリートを打設して必要厚さの床版を構築する。孔部６を設けるハーフプレキャスト床版１は、モルタル注入工程を無くすことができ従来のものより床板の一体性が向上する。【選択図】        図１
2006144257.tif 000002
【特許請求の範囲】
【請求項１】
スタッドジベルを突設する鋼桁上に架設して現場打ちコンクリート打設時には型枠として用い、前記鋼桁との中間交差部ではスタッドジベルを収容する開口を形成し、上面には鋼桁直交方向に複数の突条部を形成してコンクリート硬化後は現場打ちコンクリートと構造的に一体化するハーフプレキャスト床版において、隣接する前記開口同士を連通する孔部を前記突条部の下面と前記鋼桁上面との間に設けることを特徴とするハーフプレキャスト床版。
【発明の詳細な説明】
【技術分野】
【０００１】
この発明は、道路や鉄道等に供する高架構造物の鋼製の梁や桁上に敷設して、場所打ちコンクリートと一体化する合成構造のハーフプレキャスト床板に関するものである。
【背景技術】
【０００２】
鋼ラーメン高架橋等において鋼桁上に構築される鉄筋コンクリート床版は、型枠工事の省力化や工期短縮の要請から、プレキャスト床版を用いる場合がある。プレキャスト床版には、最終的に必要とされる床板厚さを当初より確保したフルプレキャスト床版と、場所打ちコンクリート施工時には、それ自体が型枠として機能し、コンクリート硬化後には場所打ちコンクリートと構造的に一体化するハーフプレキャスト床版がある。このハーフプレキャスト床版は追加的な支持機構なしに片持張出部や連続スラブを構築できるものである。
【０００３】
このハーフプレキャスト床版を用いて構築された床版は鋼桁とは合成しない連続版として設計するのが一般的ではあるが、床版の位置ずれ防止のためや列車荷重等を鋼桁に確実に伝達するため、鋼桁フランジ面にはスタッドジベルが配置されており、ハーフプレキャスト床版に開設する箱抜き部分にこれを収めコンクリートやモルタルを充填して床版と鋼桁とを接合し、この開口部への充填が完了した後、更に床版上面部にコンクリートを打ち足して必要とされる床板厚さの床版を構築していた。このように箱抜き部にスタッドジベルを収納するハーフプレキャスト床版としては、例えば特許文献１に記載されるような構造が知られていた。
【特許文献１】特開２００２−８１０１８号公報
【０００４】
ここで、従来のハーフプレキャスト床版における箱抜き部分の詳細を図５及び図６に示す。図５は従来のハーフプレキャスト床版を鋼桁上に敷設した平面図、図６は床版と鋼桁との接合部分を示す拡大断面図である。従来のハーフプレキャスト床版１０１は鋼桁１０４と交差する部分に開口部１０５を開設し、これに鋼桁フランジ面１０４ａに突設するスタッドジベル１０３を収容していた。
【０００５】
この開口部外周の鋼桁フランジ面１０４ａには予めシールスポンジ等の止水材１０８が取り付けられており、開口部下半に無収縮モルタル１１０を充填した後、上面に場所打ちコンクリート１０９を打設していた。従来のハーフプレキャスト床版１０１において開口部１０５に無収縮モルタル１１０を充填するのは、大きさが限定されている開口部１０５に直接場所打ちコンクリート１０９を打設すると鋼桁１０４との接合面に充填不良個所が生ずる恐れがあったからである。
【０００６】
鋼桁との中間交差部を設けない単純スラブ構造のハーフプレキャスト床版を鋼桁間に敷設する場合は、鋼桁上面が全て開放されるため、直接場所打ちコンクリートを打設することが可能となるが、架設枚数が増加して作業が煩雑となる上、架設時に脱落の危険もあるので、できる限り連続版として架設するハーフプレキャスト床版が望まれていた。
【発明の開示】
【発明が解決しようとする課題】
【０００７】
しかし、連続版として架設する従来のハーフプレキャスト床版では、開口部へのモルタル施工作業が避けられず、又鋼桁フランジ面に継手板を介在する時にはモルタル厚さが大きくなり、工事費がより増大する要因ともなっていた。
【０００８】
この発明は、従来のハーフプレキャスト床版が有する上記の問題点を解消すべくなされたものであり、連続版として架設するものであっても、開口部へモルタル打設の必要がなく、施工が容易で、工事費の低減も図れるハーフプレキャスト床版を提供することを目的としている。
【課題を解決するための手段】
【０００９】
上記課題を解決するため、この発明のハーフプレキャスト床版は、スタッドジベルを突設する鋼桁上に架設して現場打ちコンクリート打設時には型枠として用い、前記鋼桁との中間交差部ではスタッドジベルを収容する開口を形成し、上面には鋼桁直交方向に複数の突条部を形成してコンクリート硬化後は現場打ちコンクリートと構造的に一体化するハーフプレキャスト床版において、隣接する前記開口同士を連通する孔部を前記突条部の下面と前記鋼桁上面との間に設けることを特徴とするものである。
【００１０】
ハーフプレキャスト床版は、板体の上面に複数の突条部を形成し、鋼桁と交差する部分においては、この突条部を含む梁以外の平面部を切り欠いて開口を設け、この開口に鋼桁フランジ面に突設するスタッドジベルを収容する。
【００１１】
隣接する開口同士は、鋼桁の略部材幅で、かつ前記梁下面までの高さで開設する孔部により鋼桁上で連通する。即ち鋼桁上では開口と孔部により床版が連続して切り欠かれた構造となっている。
【００１２】
鋼桁上にハーフプレキャスト床版を敷設する際には、鋼桁フランジ面に開口及び孔部に沿って止水材を取り付け、開口及び床版上面部にコンクリートを打設して必要厚さの床版を構築する。鋼桁とハーフプレキャスト床版を接合する部分は、上面場所打ちコンクリートと同時施工され、かつ梁の周囲を場所打ちコンクリートで固める。
【発明の効果】
【００１３】
この発明のハーフプレキャスト床版は、隣接する開口同士を連通する孔部を突条部の下面と鋼桁上面との間に設けるので、連続版として架設するものであっても、開口部へのモルタル打設が必要なくなり、工事費の低減が図れ、施工も容易になる。又、鋼桁上の梁の周囲を場所打ちコンクリートで固めるためハーフプレキャスト床版と場所打ちコンクリート部分がより一体化する。
【発明を実施するための最良の形態】
【００１４】
次にこの発明の実施の形態を添付図面に基づき詳細に説明する。図１はハーフプレキャスト床版の平面図、図２及び図３は夫々図１のII−II断面又はIII−III断面を示す断面図である。ハーフプレキャスト床版１は、上面に複数の突条部２を形成する板体であって、図示しない継手鉄筋を突出し、スタッドジベル３を突設する鋼桁４上に架設し、現場で組み立てられる図示しない上縁側鉄筋及び場所打ちコンクリート等と合成されて一体化したスラブ材となるものである。
【００１５】
ハーフプレキャスト床版１は、鋼桁４との交差部には突条部２以外の平面部を切り欠いて開口５を開設しスタッドジベル３を収容する。隣接する開口５，５同士は床版下面に形成する孔部６を介して連通する。従って鋼桁４との交差部におけるハーフプレキャスト床版１は、突条部２を含む複数の梁７で連結される構造となり、鋼桁４上では開口５と孔部６により床版が連続して切り欠かれた構造となっている。孔部６は鋼桁４の略上部フランジ４ａ幅で、梁７の下端まで開設されている。
【００１６】
鋼桁４上にハーフプレキャスト床版１を敷設する際には、鋼桁４の上部フランジ４ａに開口５及び孔部６に沿ってシールスポンジ等の止水材８を取り付け、開口５及び床版上面にコンクリートを打設して必要厚さの床版を構築する。この場所打ちコンクリート打設時の床版断面を図４に示す。鋼桁４とハーフプレキャスト床版１を接合する部分は、場所打ちコンクリート９が充填され、梁７の周囲を固める。
【００１７】
このように孔部６を設けるハーフプレキャスト床版１は、モルタル注入工程を無くすことができ、しかも従来のものより床板の一体性が向上する。
【産業上の利用可能性】
【００１８】
この発明のハーフプレキャスト床版は、道路や鉄道等に供する高架構造物のみならず、橋梁等の鋼桁に架設するハーフプレキャスト床版においても好適に適用することができる。
【図面の簡単な説明】
【００１９】
【図１】ハーフプレキャスト床版の平面図である。
【図２】図２は図１のII−II断面を示す断面図である。
【図３】図３は図１のIII−III断面を示す断面図である。
【図４】場所打ちコンクリート打設時の床版断面を示す断面図である。
【図５】従来のハーフプレキャスト床版を鋼桁上に敷設した平面図である。
【図６】従来のハーフプレキャスト床版と鋼桁との接合部分を示す拡大断面図である。
【符号の説明】
【００２０】
１  ハーフプレキャスト床版
２  突条部
３  スタッドジベル
４  鋼桁
４ａ  上部フランジ
５  開口
６  孔部
７  梁
８  止水材
９  場所打ちコンクリート
【図１】
2006144257.tif 000003
【図２】
2006144257.tif 000004
【図３】
2006144257.tif 000005
【図４】
2006144257.tif 000006
【図５】
2006144257.tif 000007
【図６】
2006144257.tif 000008